(57)【特許請求の範囲】
【請求項１】
建築物の壁体に適用される構造であって、
外気を屋外から取り入れるとともに前記壁体に沿って流通させ再び屋外に排出するように建築物の高さ方向に沿って延びる外通気部と、建築物の床下又は下端側の屋内から空気を取り入れるとともに前記壁体に沿って流通させ建築物の上端側の屋内に排出するように建築物の高さ方向に沿って延びる内通気部とを形成し、前記壁体を屋外側に配設される外壁部と屋内側に配設される内壁部とから構成し、該外壁部を上下方向に貫通する通気孔を有する外壁パネルを具備してなるものとするとともに、内壁部を該外壁パネルと対向配置され上下方向に貫通する通気孔を有する内壁パネルを具備してなるものとして、外壁パネル及び内壁パネルを、それぞれ前記通気孔を形成した方形板状をなすパネル本体と、該記パネル本体における外壁パネルと内壁パネルとが相互に対向する側の面に沿って取り付けた方形板状をなす断熱ボードと、各パネル本体の両側端部に取り付けられるエッジ部材とから構成し、該エッジ部材にそれと対面する柱に密着させるパッキング部材を取り付けて、断熱ボード同士を面接触させた状態で外壁パネル及び内壁パネルを配設していることを特徴とする通気壁構造。
【請求項２】
前記外通気部と内通気部とが、独立して外気又は屋内側の空気をそれぞれ流通させるものである請求項１記載の通気壁構造。
【請求項３】
前記外通気部と内通気部とを連通させる連通部を形成している請求項１記載の通気壁構造。
【請求項４】
上下に隣接して配置される各外壁パネル及び各内壁パネルを、それぞれ上側の外壁パネル又は内壁パネルの通気孔と下側の外壁パネル又は内壁パネルの通気孔とを連続させるように配置している請求項１、２又は３のいずれかに記載の通気壁構造。
【請求項５】
外壁パネル及び内壁パネルの幅方向に沿って、それぞれ複数の通気孔を略等間隔で整列させて形成している請求項１、２、３又は４のいずれかに記載の通気壁構造。
【請求項６】
前記パネル本体及び断熱ボードを具備する略同一の構成からなる壁パネルを、外壁パネル及び内壁パネルの両方に適用している請求項１、２、３、４又は５のいずれかに記載の通気壁構造。
【発明の詳細な説明】
【０００１】
【発明の属する技術分野】
本発明は、建築物において結露を有効に防止することができる新規な通気壁の構造及びそれに適用される壁パネルに関するものである。
【０００２】
【従来の技術】
例えば一般住宅等の建築物において、建築物内外の温度差により壁体に発生する結露を防止するために、従来より、例えば「外張り工法」という方式で結露の防止を図る方法が考えられている。この工法は、建築物の壁体の主体である壁本体とこの壁本体の屋外側に張って施工されるサイディングボード等の外壁材との間に所定の隙間を設け、この隙間内に下端側から引き込んだ外気を流通させて上端側から排出することで壁体内に空気層を形成し、この空気層によって建築物内外の温度差を解消するようにして結露の発生を抑制しようとするものである。
【０００３】
【発明が解決しようとする課題】
ところが、このような構成のものであると、壁本体の施工後に上述の隙間分の間隔を空けて外壁材を更に施工しなければならないため、建築物の施工に掛かる手間や時間、コストが増大することになる。さらに、空気層を形成する前記隙間が壁体の略全域に亘って広がっているため、引き込んだ外気が隙間内に滞留しがちであり屋外への排出が適度に行われ難いことから、強制換気装置を別途に設ける必要も生じている。また、上述の「外張り工法」における結露の発生防止効果を向上するために、前記隙間と屋内空間とを連通させる貫通孔を壁本体に形成した構造も考えられているが、このような貫通孔にはゴミが溜まりやすく、貫通孔が塞がることがあるなどの問題もある。
【０００４】
そこで本発明は、以上のような問題を解消するために、これまで考えられていなかった方法で結露の発生防止を図ることができる全く新しい通気壁構造と、このような通気壁構造に適用され低コストで正確且つ迅速な施工が可能な壁パネルを提供するものである。
【０００５】
【課題を解決するための手段】
すなわち、本発明の通気壁構造は、建築物の壁体に適用される構造であって、外気を屋外から取り入れるとともに前記壁体に沿って流通させ再び屋外に排出するように建築物の高さ方向に沿って延びる外通気部と、建築物の床下又は下端側の屋内から空気を取り入れるとともに前記壁体に沿って流通させ建築物の上端側の屋内に排出するように建築物の高さ方向に沿って延びる内通気部とを形成していることを特徴としている。
【０００６】
上述した従来の「外張り工法」においては形成される空気層が一つのみであるが、本発明のような構成の通気性を有する壁構造であれば、壁体内に、外通気部内に取り入れられた外気の層と、内通気部内に取り入れられた屋内の空気の層の二つの空気層が形成されるため、屋内外の断熱がより効率的に図られることになり、結露の発生もより有効に防止することができるようになる。なお、建築物の高さ方向に延びる外通気部と内通気部とは、必ずしも垂直に延びている必要はなく、斜行していたり蛇行していても上下方向の成分が含まれていればよい。
【０００７】
そして、上述のように結露を防止し得る通気壁構造において、壁体を屋外側に配設される外壁部と屋内側に配設される内壁部とから構成し、該外壁部を上下方向に貫通する通気孔を有する外壁パネルを具備するとともに、内壁部を該外壁パネルと対向配置され上下方向に貫通する通気孔を有する内壁パネルを具備するものとすることで、簡単且つ正確に施工をすることができる。
【０００８】
また、外壁パネル及び内壁パネルを、それぞれ前記通気孔を形成した方形板状をなすパネル本体と、該記パネル本体における外壁パネルと内壁パネルとが相互に対向する側の面に沿って取り付けた方形板状をなす断熱ボードと、各パネル本体の両側端部に取り付けられるエッジ部材とから構成し、該エッジ部材にそれと対面する柱に密着させるパッキング部材を取り付けて、断熱ボード同士を面接触させた状態で外壁パネル及び内壁パネルを配設することで、具体的に取り扱いが容易で施工も簡単なものとすることができる。
【０００９】
外通気部における外気の層と内通気部における屋内の空気の層とが混ざらないようにして、特に屋内における気温をほぼ一定に保ち得るようにするためには、外通気部と内通気部とが、独立して外気又は屋内側の空気をそれぞれ流通させるように構成することが望ましい。
【００１０】
一方、外通気部における外気の層と内通気部における屋内の空気の層とを合流させて、壁体において外気の層の温度と屋内側の空気の層の温度との差を小さくすることで、結露の発生をより有効に防止するためには、通気壁構造に外通気部と内通気部とを連通させる連通部を形成することが好ましい。
【００１２】
このような構成の通気壁構造の外壁部及び内壁部のそれぞれにおいて、外壁パネルの通気孔により形成される外通気部、内壁パネルの通気孔により形成される内通気部に、いずれも好適に空気を流通させるようにするためには、上下に隣接して配置される各外壁パネル及び各内壁パネルを、それぞれ上側の外壁パネル又は内壁パネルの通気孔と下側の外壁パネル又は内壁パネルの通気孔とを連続させるように配置すればよい。
【００１３】
また、外通気部や内通気部がそれぞれ単独で広いものであれば空気の流れが悪くなる。このような不具合を、結露の発生防止効果を損なうことなく外通気部及び内通気部における空気の流通性を向上するためには、外壁パネル及び内壁パネルの幅方向に沿って、それぞれ複数の通気孔を略等間隔で整列させて形成することが好ましい。
【００１５】
この場合、外壁パネル及び内壁パネルの製造コストの低減及び施工容易性の工場を図るには、パネル本体及び断熱ボードを具備する略同一の構成からなる壁パネルを、外壁パネル及び内壁パネルの両方に適用するようにすればよい。
【００１６】
以上のように、施工が簡単で壁体における結露の発生を抑制し得る通気壁構造を構成するための好ましい壁パネルは、上下方向に貫通させて形成した通気孔を有するパネル本体と、該パネル本体の一方の面に沿って取り付けた断熱ボードとを具備し、建築物の壁体において屋外側に配置される外壁部又は屋内側に配置される内壁部の少なくとも一方に適用し得るようにしたものである。このような壁パネルにおいて、上述のように通気孔内の空気の良好な流通性を確保するには、パネル本体が方形板状をなし、前記通気孔を該パネル本体の幅方向に沿って略等間隔で複数形成することが好ましい。
【００１７】
【発明の実施の形態】
以下、本発明の一実施形態を、図面を参照して説明する。
【００１８】
図１は、本実施形態の壁パネル１を使用した通気壁構造を有する建築物Ａの概略的な断面図である。まずこの建築物Ａは、土壌に埋設した基礎コンクリートＡ０の上に、同図には図示しない柱や梁等を施工して下から順に一階部Ａ１、二階部Ａ２、天井収納部Ａ３、屋根部Ａ４を形成してなる三層二階建ての一般的な住宅用家屋である。基礎部Ａ０と一階部Ａ１との間は床Ａｆで仕切られており、一階部Ａ１と二階部Ａ２との間、二階部Ａ２と天井収納部Ａ３との間は床や天井（同図に想像線で示す）で仕切られている。そして、この建築物Ａの壁体Ａｗに、本実施形態の通気壁構造を適用している。
【００１９】
この通気壁構造を適用した壁体Ａｗは、建築物Ａの屋外側に施工される外壁部Ｗ１と、屋内側に施工される内壁部Ｗ２とから構成したものである。これら外壁部Ｗ１及び内壁部Ｗ２は、いずれも同一構成からなる通気性を有する複数の壁パネル１を用いて形成することにより、それぞれ外通気部Ｘ１、内通気部Ｘ２を備えている。
【００２０】
壁パネル１は、図２〜図５に示すように、建築物Ａの基本骨格構造を構成している隣接する柱Ａｐ同士の間に配設されるもので、主としてパネル本体２と、そのパネル本体２に沿って配設される断熱ボード３とから構成したものである。
【００２１】
まず、パネル本体２は、例えば一辺１〜２ｍ程度の正方形状をなし、３〜５ｃｍ程度の厚みを有する木製板材からなるもので、横断面視略長方形状をなし上下に貫通する通気孔２１を幅方向に略定間隔で複数（図示例では５つ）形成している。なお、このパネル本体２の素材や形状、大きさ等は施工される建築物の形状や大きさ、施主の希望等の各種条件により適宜変更することができる。また、このパネル本体２の両側端部には、パネル本体２と略同一の厚み寸法を有する木製のエッジ部材２２を接着その他の適切な方法で取り付けている。このエッジ部材２２の幅寸法は、前記柱Ａｐの幅寸法の半分よりもやや大きく設定されている。一方、断熱ボード３は、例えば硬質ウレタン素材等の一般的な断熱材を主体とし、前記パネル本体２と略等しい幅寸法及び高さ寸法を有する方形板状をなすものである。また、この断熱ボード３の両側端部には、断熱ボード３と略同一の厚み寸法を有する木製のエッジ部材３３を接着その他の適切な方法で取り付けている。このようにエッジ部材３３を取り付けた断熱ボード３の一方の面を、エッジ部材２２を取り付けたパネル本体２の一方の面に密着させた状態で取り付け、一体の壁パネル１を形成している。ここで、エッジ部材３３の幅寸法は前記パネル本体２に取り付けたエッジ部材２２よりも小さく設定しており、エッジ部材２２、３３同士が平面視Ｌ字形状をなすようにして、このＬ字形の部分を柱Ａｐの一角部に合わせるようにしている。その際、壁パネル１と柱Ａｐとの間に隙間が生じるのを防止するために、エッジ部材２２、３３にはそれぞれパッキング部材４を取り付けている。具体的にこのパッキング部材４は、エッジ部材２２、３３にそれぞれ両面粘着テープ（図示省略）等により取り付けられる薄板状をなす支持板４１と、この支持板４１の柱Ａｐ側を向く面に接着などにより取り付けた輪状をなすゴム製又は樹脂製のパッキング本体４２とからなるものである。そして、パッキング本体４を柱Ａｐに密着させることで、隙間が生じないように壁パネル１を柱Ａｐ間に取り付けられるようにしている。
【００２２】
なお、本実施形態では前記断熱ボード３の主体となるウレタン素材等（図４及び図５においてはハッチングを附している）に、ヒノキチオールを含有するマイクロカプセル３１や、青森ヒバや台湾ヒノキ等のヒノキチオールを含有する木材の幹・枝葉・樹皮等の小片や粉末（以下、「木材チップ３２」と称する）を多数含有させている。ここで、マイクロカプセル３１及び木材チップ３２は極めて微小なものであるので、図４及び図５においてはそれぞれ○又は△の形状に代表させて誇張して示している。具体的に、マイクロカプセル３１は、数十個から数百個程度のマイクロカプセル３１が相互に引き合った状態のブドウの房のような塊として存在している。個々のマイクロカプセル３１は、図６に模式的に示すように、カプセル本体３１１と、そのカプセル本体３１１の内部に保持されたヒノキチオールを含有する液体３１２とからなる。カプセル本体３１１は、それぞれ複数の非崩壊性粒子と崩壊性粒子とを混在させた構成の約２μｍ程度の大きさの多孔質粒子であり、非崩壊性粒子をセラミックス粒子３１１ａから構成し、崩壊性粒子を大豆レシチン等の植物性タンパク質粒子３１１ｂから構成している。このうち植物性タンパク質粒子３１１ｂが温度変化や光の作用で経時的に崩壊すると、それに伴って形成された孔３１１ｓから内部の液体３１２が放出されることになる。ここで、この液体３１２は、青森ヒバや台湾ヒノキから抽出したヒノキチオール成分を含有している。すなわち、青森ヒバや台湾ヒノキの木片や樹皮、枝葉等を細かく粉砕したものに高温高圧の蒸気を当てることによって、生じた液体（油溶成分及び水溶成分）のうち油溶成分にはヒノキチオールが多量に含まれているため、この油溶成分をもって前記液体３２としているが、水溶成分も使用してもよい。なお、植物性タンパク質粒子３１１ｂの崩壊はそれぞれ個別に生じているものであるが、多数のマイクロカプセル３１の存在によって全体としてみれば液体３１２は長期に亘って連続的に放出されていることになる。一方、木材チップ３２は、上述のようにそれぞれ青森ヒバ等の幹や枝、又は樹皮を粉砕機等を利用して小片や粉末状にしたものであるが、比較的大きな切れ端としても構わない。
【００２３】
このように、断熱ボード３にヒノキチオールを含有するマイクロカプセル３１や木材チップ３２を含有させているのは、次のような理由によるものである。すなわち、青森ヒバや台湾ヒノキのような木材に含有されるヒノキチオール成分には、シロアリやダニ等の害虫に対する防虫効果、カビ等の雑菌に対する抗菌効果、ホルムアルデヒド等のシックハウス症候群の原因化学物質の除去効果、リラクゼーション効果等の各種の有用な効果があることが認められてきている。このようなヒノキチオールの性質を利用して、ヒノキチオールの精油やそれを薄めた液剤そのものを建築物の壁等に散布又は塗布することによって防虫抗菌処理を行うという方法も考えられてはいるが、このような方法では散布したり塗布したヒノキチオールが揮発して時間が経つとその効果が薄れてしまい、繰り返し何度も処理を行う必要が生じている。そこでこのような不具合を解消するために、上述のようにヒノキチオールを含有する液体３１２を徐々に放出する、いわゆる徐放性を有するマイクロカプセル３１を予め断熱ボード３に混入しておくことで、壁パネル１の施工時からその後長期間に亘って断熱ボード３から前記液体３１２が放出されることになり、前述のヒノキチオールによる各種の効果を享受することができるようにしている。また、木材チップ３２からもヒノキチオールが放出されることになるが、その効果は前記マイクロカプセル３１の全てから液体３１２が放出され終わった後でも継続するため、更に長期に亘ってヒノキチオールの効果が享受できるようになる。その上、木材チップ３２が壁体１の湿気を吸収したり放出したりするため、壁パネル１に調湿性を付与することもできるようにしている。
【００２４】
さて、本題に戻って、上述のような構成の壁パネル１を壁体Ａｗに適用した施工方法について説明する。まず、壁パネル１を外壁部Ｗ１を構成する外壁パネルとして適用して施工する際には、パネル本体２を屋外側に向けた姿勢としてパッキング本体４２を柱Ａｐに密着させた状態で隣接する柱Ａｐ同士の間に位置付け、前記エッジ部材２２をビス２３等を用いて柱Ａｐに取り付ける。そして、この壁パネル１の上に同様の工法により他の壁パネル１を載せるようにして上下に隣接する壁パネル１同士を施工し、このような手順を各柱Ａｐ間で繰り返すことによって、外壁部Ｗ１を形成する。一方、壁パネル１を内壁部Ｗ２を構成する内壁パネルとして適用して施工するに際しては、断熱ボード３の屋外側を向く面３ａを外壁部Ｗ１を構成する壁パネル１の断熱ボード３の屋内側を向く面３ａに対して面接触させるとともに、パネル本体２を屋内側に向けた姿勢としてパッキング本体４２を柱Ａｐに密着させた状態で隣接する柱Ａｐ同士の間に位置付ける。さらに、この壁パネル１の上に同様の工法により他の壁パネル１を載せるようにして上下に隣接する壁パネル１同士を施工し、このような手順を各柱Ａｐ間で繰り返すことによって、内壁部Ｗ２を形成する。ただし、本実施形態では外壁パネル及び内壁パネルとして適用した相互に対向する一対の壁パネル１をそれらの高さ位置を揃えて配設しているが、外壁部Ｗ１と内壁部Ｗ２との高さに差異が生じる場合などには必ずしも両者の高さ位置を正確に揃える必要はない。また、上下左右に隣接する壁パネル１同士の間の継ぎ目を塞ぐ必要があれば、その継ぎ目に図示しない防水テープを貼るなどの処理を行えばよい。さらに、壁体Ａｗにおいて屋外側にはサイディングボード等の外装材、屋内側には壁紙等の内装材が必要であれば、前記外壁部Ｗ１、内壁部Ｗ２のパネル本体２にそれぞれ貼り付けるなどして施工すればよい。
【００２５】
以上のようにして外壁部Ｗ１及び内壁部Ｗ２を形成すると、各壁パネル１は規格化されたものであるために、それぞれ上下に連通する壁パネル１同士の通気孔２１が、図５に示すように連続することになり、その結果、外壁部Ｗ１及び内壁部Ｗ２のそれぞれに、図１に示すような建築物Ａの高さ方向に沿って延びる外通気部Ｘ１及び内通気部Ｘ２が形成されることになる。そして、外通気部Ｘ１又は内通気部Ｘ２に外気又は屋内の空気をそれぞれ引き込むとともに壁体Ａｗ内を通過させ、さらに屋外又は屋内にそれぞれ排出するために、図１に示す建築物Ａに次のような構成を採用している。すなわち、外壁部Ｗ１の最下端に配設される壁パネル１の下端部を基礎部Ａ０の近傍に位置付けるとともに、内壁部Ｗ２の最下端に配置される壁パネル１の下端部を基礎部Ａ０と一階部Ａ１との間の床下空間Ａｓに位置付けている。さらに、屋根部Ａ４にも、壁体Ａｗに適用したものと同様の壁パネル１を屋外側及び屋内側に用いて壁体Ａｗと同様の外通気部Ｙ１及び内通気部Ｙ２を形成することによって、壁体Ａｗ及び屋根部Ａ４の外通気部Ｘ１、Ｙ１同士、内通気部Ｘ２、Ｙ２同士をそれぞれ連通させている。特に屋外側においては、屋根部Ａ４の頂部に、外通気部Ｙ１を屋外に連通させる傘状の外気排出口Ａ４ａを形成している。また、屋内側においては、天井収納部Ａ３の頂部に、屋根部Ａ４の内通気部Ｙ２を屋内に連通させる屋内側の空気の排出口Ａ３ａを形成するとともに、一階部Ａ１及び二階部Ａ２の床近傍と天井近傍にそれぞれ壁体Ａｗの内通気部Ｘ２を屋内に連通させる吸気口Ｘ２１と排気口Ｘ２２とを形成している。以上のように建築物Ａの通気壁構造を構成することにより、屋外側においては図１に矢印で示すように、基礎部Ａ０の近傍から引き込まれた外気が壁体Ａｗ及び屋根部Ａ４の外通気部Ｘ１、Ｙ１を通過して外気排出口Ａ４ａから排出されることになる。また、屋内側においても図１に矢印で示すように、床下空間Ａｓや一階部Ａ１及び二階部Ａ２の吸気口Ｘ２１から引き込まれた屋内側の空気が壁体Ａｗ及び屋根部Ａ４の内通気部Ｘ２、Ｙ２を通過して、前記排出口Ａ３ａ、Ｘ２２から排出されることになる。
【００２６】
以上のように、本実施形態の通気壁構造を適用した建築物Ａでは、壁体Ａｗに形成された外通気部Ｘ１及び内通気部Ｘ２にそれぞれ流通する外気又は屋内側の空気によって壁体Ａｗ内に二層の空気層が形成されることになるため、壁体Ａｗにおける高い断熱作用が得られ、屋内外の気温差によって壁体Ａｗに生じがちな結露を有効に防止することができる。
【００２７】
特に本実施形態では、外通気部Ｘ１と内通気部Ｘ２にはそれぞれ独立して外気又は屋内側の空気が流通しているので、壁体Ａｗ内で二つの空気層が混ざることなく安定した温度に維持されることになり、特に屋内における気温をほぼ一定に保ち、部屋ごと或いは階ごとに温度差が少ない快適な居住空間が得られる。
【００２８】
具体的にこのような通気壁構造として、上下に貫通する通気孔２１を有する共通の壁パネル１を屋外側においては外壁パネルとして適用し、屋内側においては内壁パネルとして適用することで、壁体Ａｗをそれぞれ前記通気孔２１により形成された外通気部Ｘ１及び内通気部Ｘ２を有する外壁部Ｗ１と内壁部Ｗ２の内外二層の壁部から構成しているため、上述のように結露を防止し得る通気壁構造を、簡単且つ正確に施工することが可能である。また、外壁パネル及び内壁パネルとして共通の壁パネル１を適用していることにより、壁パネル１の製造コストを低減できることになる。
【００２９】
また、壁パネル１は大きさ及び構造が規格化したものであるため、その施工が極めて容易であるばかりでなく、上下に隣接する壁パネル１同士の通気孔２１が確実に連続することになるので、空気が滞留しにくい外通気部Ｘ１及び内通気部Ｘ２を簡単に形成することができる。さらに、壁パネル１は、方形板状のパネル本体２を有するものであり、パネル本体２の幅方向に複数の通気孔２１を略等間隔で整列させて形成しているので、単独では小さい断面積の通気孔２１が壁体Ａｗ全体には多数形成されることになって、外通気部Ｘ１及び内通気部Ｘ２の上下方向への空気の流通性が向上し、結露の発生防止効果を良好に維持することができる。
【００３０】
さらにまた、前記パネル本体２にはそれぞれ方形板状をなす断熱ボード３を取り付けており、外壁部Ｗ１に適用される壁パネル１の断熱ボード３とうちかべぶＷ２に適用される壁パネル１の断熱ボード３とを面接触させた状態で施工することで壁体Ａｗを形成しているので、外通気部Ｘ１における空気層と内通気部Ｘ２における空気層の温度の安定性を向上することが可能である。
【００３１】
なお、本発明の壁パネルの施工をさらに簡単にするには、例えば図７及び図８に示すような構造を採用することができる。同図に示す壁パネル１００は、基本的構成は上記実施形態の壁パネル１と同一であるが、一方の側端部に配置されるエッジ部材２２に突部２２１を形成し、他方の側端部に配置されるエッジ部材に凹部２２２を形成している点において、上記実施形態のものと異なっている。すなわちこの突部２２１は、前記エッジ部材２２の側端面の中央部においてその高さ方向全域に亘って上下に延び、外方に向けて断面視矩形状をなして突出するように形成したものである。一方、凹部２２２は、前記突部２２１に対応する形状に他方側のエッジ部材２２の側端面の中央部において断面視矩形状をなして凹没させるように切り欠いて形成したものである。このような突部２２１及び凹部２２を有する壁パネル１００を施工する場合、左右に隣接する壁パネル１００のうち一方の壁パネル１００の突部２２１を他方の壁パネル１００の凹部２２２に水平方向にスライド移動させて挿入するようにすることで、左右の壁パネル１００を特別な接続具を用いて連結しなくても、突部２２１の凹部２２２への挿入と同時に壁パネル１００同士を接続することができ、それと同時にこれら壁パネル１００の厚み方向及び左右方向の位置決めを図ることができるので、極めて簡便に施工を完了することができる。なお、エッジ部材２２に形成される突部及び凹部は左右の壁パネル同士の間で対応するものであれば、上述の例のように壁パネルの高さ方向に連続的に延びるものである必要は必ずしもなく、間欠的に形成しても構わない。また、これと同様の突部及び凹部の関係が上下に隣接する壁パネル同士の間でも形成されるように、壁パネルの上端部又は下端部のいずれか一方に突部を形成し他方に凹部を形成するようにしても、施工の簡便化を図ることができる。
【００３２】
また、上記実施形態では、エッジ部材２２、３３を通気ボード２及び断熱ボード３とは別部材としてそれぞれ取り付けているが、これらエッジ部材２２、３３を用いずに、通気ボード２及び断熱ボード３の大きさを側方に拡張しそれらの端面に直接的にパッキング部材４を取り付けるようにすることもできる。
【００３３】
さらに、上記実施形態では、外通気部と内通気部とが独立して外気又は屋内側の空気を流通させるようにしているが、例えば壁パネルの施工後に外通気部と内通気部とを連通させる連通部となる孔を予め壁パネルに形成しておいたり、壁体内のいずれかの部位に外通気部と内通気部を連通させる通気部となる空間を形成するようにすれば、外通気部における外気の層と内通気部における屋内の空気の層とを合流させてこれら二層の空気層の温度差を小さくすることができるので、このような構成であっても壁体における結露の発生を有効に抑制することが可能である。
【００３４】
その他、各部の具体的構成についても上記実施形態に限られるものではなく、本発明の趣旨を逸脱しない範囲で種々変形が可能である。
【００３５】
【発明の効果】
本発明は、以上説明したような形態で実施され、以下に記載されるような効果を奏する。
【００３６】
すなわち、本発明の通気壁構造によれば、建築物の壁体に形成した外通気部に外気を流通させ、内通気部に屋内側の空気を流通させることで、壁体内に二層の空気層が形成されることになるため、空気層が一層のみである従来の「外張り工法」と比較して屋内外の断熱作用が高まり、その結果、壁体における結露の発生もより有効に防止することが可能である。
【００３７】
このような通気性を有する壁体の構造において、外通気部と内通気部それぞれに、独立して外気又は屋内側の空気を流通させるように構成している場合には、外通気部における外気の層と内通気部における屋内の空気の層とが混ざることがないので、これら二層の空気層の温度をそれぞれ安定させて、特に屋内における気温をほぼ一定に保ち、部屋ごと或いは階ごとに温度差が少ない快適な居住空間を形成することができる。
【００３８】
一方、通気壁構造に外通気部と内通気部とを連通させる連通部を形成していると、外通気部における外気の層と内通気部における屋内の空気の層とが合流することでそれら二層の空気層の温度差が小さくなり、結露の発生をより有効に抑制することが可能である。
【００４０】
このような通気壁構造として、具体的に屋外側の外壁部と屋内側の内壁部とから壁体を構成し、さらに外壁部及び内壁部をそれぞれ上下に貫通する通気孔を有する外壁パネル及び内壁パネルを備えるものとすることで、上述のように結露を防止し得る通気壁構造を、簡単且つ正確に施工することが可能である。
【００４１】
その場合、上側の外壁パネル又は内壁パネルそれぞれの通気孔と下側の外壁パネル又は内壁パネルの通気孔とを連続させるように配置すれば、施工された外壁パネル及び内壁パネルの通気孔により形成される外通気部及び内通気部に、空気を滞留させることなく好適に流通させることができる。
【００４２】
また、外壁パネル及び内壁パネルの幅方向に沿って、それぞれ複数の通気孔を略等間隔で整列させて形成している場合には、各通気孔の断面積を単独では細くして、各パネル全体としては多数の通気孔が形成されることになるので、結露の発生防止効果を良好に維持しつつ空気の流通性を向上することができる。
【００４４】
より具体的に、外壁パネル及び内壁パネルを、それぞれ前記通気孔を形成した方形板状をなすパネル本体と、該記パネル本体における外壁パネルと内壁パネルとが相互に対向する側の面に沿って取り付けた方形板状をなす断熱ボードとから構成し、断熱ボード同士を対向させて面接触させた状態で外壁パネル及び内壁パネルを施工するようにすれば、取り扱いの容易な各壁パネルを用いて壁体の断熱性を好適に向上することができる。この場合、パネル本体及び断熱ボードを具備する略同一の構成からなる壁パネルを、外壁パネル及び内壁パネルの両方に適用すると、壁パネル及び壁体、ひいては建築物の製造コストを低減し、容易に施工することができるようになる。
【図面の簡単な説明】
【図１】本発明の一実施形態を適用した建築物を示す概略的な断面図。
【図２】同実施形態における壁パネルを適用した建築物の壁体を示す斜視図。
【図３】図２における部分分解斜視図。
【図４】同実施形態の壁体を示す概略的な横断面図。
【図５】同縦断面図。
【図６】同実施形態の壁パネルに適用されるマイクロカプセルを概略的に示す図。
【図７】本発明の一変形例を図３に対応して示す斜視図。
【図８】同変形例を図４に対応して示す横断面図。
【符号の説明】
Ａ…建築物
Ａｗ…壁体
Ｗ１…外壁部
Ｗ２…内壁部
Ｘ１…外通気部
Ｘ２…内通気部
１、１００…壁パネル
２…パネル本体
３…断熱ボード
２１…通気孔
【図１】
0003602469.tif 000002
【図２】
0003602469.tif 000003
【図３】
0003602469.tif 000004
【図４】
0003602469.tif 000005
【図５】
0003602469.tif 000006
【図６】
0003602469.tif 000007
【図７】
0003602469.tif 000008
【図８】
0003602469.tif 000009